(57)【要約】      （修正有）【課題】商品が左右方向に対して傾斜しても商品が適切に滑り出すことができ、かつ、収納されている商品を十分に視認することができる滑り出し陳列具を提供する。【解決手段】滑り出し陳列具５は、本体部１０と、取出し部４０とを有し、取出し部４０の上面部４２が本体部１０の正面部１２の下端から連設された糊代部と接着している。本体部１０は筒状部１１を有し、取出し部４０は筒状部４１を有していて、筒状部１１内の空間と筒状部４１内の空間がつながっている。筒状部４１を構成する一対の側面部における落止部５１側とは反対側の辺部が、筒状部１１の底面部側にいくに従い落止部５１側から遠ざかるように形成され、これにより、取出し部４０が背面側から正面側に下方に傾斜しても筒状部４１の底面部と本体部１０の背面部２６間の隙間を小さくすることができる。【選択図】図１
0003159435.tif 000002
【実用新案登録請求の範囲】
【請求項１】
商品が上下方向にスライドするとともに、正面側に商品を滑り出して取り出す滑り出し陳列具であって、
１枚のシート状のブランクにより形成された本体部で、背面部と、一対の本体部側面部で、底面側の基部と基部の上端から上方に伸びて形成された帯状部とを有し、基部の正面側に、背面側から正面側に上方に傾斜する第１傾斜辺部と、第１傾斜辺部の上側に設けられ正面側から背面側に上方に傾斜する第２傾斜辺部とを有する本体部側面部と、開口部又は切欠部が形成され、基部の第２傾斜辺部の上端よりも上側に形成された正面部と、一対の基部における各基部の第１傾斜辺部から折れ線を介して連設された突出片部と、正面部の底面側の辺部から折れ線を介して連設された取出し部接続用糊代部を有し、背面部と一対の本体部側面部の帯状部と正面部とで筒状に形成された本体部と、
１枚のシート状のブランクにより形成された取出し部で、上面部と、一対の取出し部側面部と、底面部とを有する筒状部と、落止部で、底面部における筒状部の一対の開口における一方に対応する辺部から折れ線を介して連設された正面前板部と、正面前板部の底面部とは反対側の辺部から折れ線を介して連設された正面後板部とからなる落止部とを有し、筒状部における底面部の落止部側の端部が上面部の落止部側の端部よりも落止部側に長く形成され、一対の取出し部側面部における落止部側とは反対側の辺部が、底面部側にいくに従い落止部側から遠ざかるように形成され、上面部が取出し部接続用糊代部に接着してなる取出し部と、
を有し、
落止部を構成する正面前板部と正面後板部とで本体部の突出片部を挟むことにより、取出し部が背面側から正面側に向けて下方に傾斜した状態で基部に固定されることを特徴とする滑り出し陳列具。
【請求項２】
本体部における一対の基部の第２傾斜辺部側には商品取出し用切欠部が形成され、取出し部における一対の取出し部側面部の落止部側には該商品取出し用切欠部と対応した位置に第２商品取出し用切欠部が形成され、正面前板部と正面後板部とで本体部の突出片部を挟むことにより、取出し部を背面側から正面側に向けて下方に傾斜した状態で基部に固定した際には、商品取出し用切欠部と第２商品取出し用切欠部により、商品を取り出すための切欠部が左右両側に形成されることを特徴とする請求項１に記載の滑り出し陳列具。
【請求項３】
本体部を構成するブランクの展開状態において、背面部の両側に折れ線を介して本体部側面部が連設され、背面部と本体部側面部間の折れ線の下端からブランクの底面側に向けて背面部の内側に切り込みを形成することにより、本体部側面部の下端の背面側が突出して形成されていることを特徴とする請求項１又は２に記載の滑り出し陳列具。
【請求項４】
商品が上下方向にスライドするとともに、正面側に商品を滑り出して取り出す滑り出し陳列具であって、
１枚のシート状のブランクにより形成された本体部で、背面部と、背面部の両側の辺部から折れ線を介して連設された一対の本体部側面部で、底面側の基部と基部の上端から上方に伸びて形成された帯状部とを有し、基部の正面側に、背面側から正面側に上方に傾斜する第１傾斜辺部と、第１傾斜辺部の上側に設けられ正面側から背面側に上方に傾斜する第２傾斜辺部とを有する本体部側面部と、一対の本体部側面部の一方における帯状部の背面部とは反対側の辺部から折れ線を介して連設された正面部で、開口部又は切欠部が形成され、基部の第２傾斜辺部の上端の高さ位置にその下端位置が形成された正面部と、正面部の一方の本体部側面部とは反対側の辺部から折れ線を介して連設された本体部側面部接続用糊代部と、一対の基部における各基部の第１傾斜辺部から折れ線を介して連設された突出片部と、正面部の底面側の辺部から折れ線を介して連設された取出し部接続用糊代部を有し、本体部側面部接続用糊代部を他方の本体部側面部に接着させることにより、背面部と一対の本体部側面部の帯状部と正面部とで筒状に形成され、本体部を構成するブランクの展開状態において、背面部と本体部側面部間の折れ線の下端からブランクの底面側に向けて背面部の内側に切り込みを形成することにより、本体部側面部の下端の背面側が突出して形成された本体部と、
１枚のシート状のブランクにより形成された取出し部で、上面部と、上面部の両側の辺部から折れ線を介して連設された一対の取出し部側面部と、一対の取出し部側面部の一方における上面部とは反対側の辺部から折れ線を介して連設された取出し部側面部接続用糊代部と、一対の取出し部側面部の他方における上面部とは反対側の辺部から折れ線を介して連設された底面部とを有し、取出し部側面部接続用糊代部が底面部に接着された筒状部と、落止部で、底面部における筒状部の一対の開口における一方に対応する辺部から折れ線を介して連設された正面前板部と、正面前板部の底面部とは反対側の辺部から折れ線を介して連設された正面後板部とからなる落止部とを有し、筒状部における底面部の落止部側の端部が上面部の落止部側の端部よりも落止部側に長く形成され、
取出し部を構成するブランクの展開状態において、上面部の落止部側とは反対側の辺部である第１辺部と上面部に連設する一方の取出し部側面部における落止部側とは反対側の直線状の辺部である第２辺部とがなす角度が、１８０度よりも小さく、また、上面部の落止部側とは反対側の辺部である第１辺部と上面部に連設する他方の取出し部側面部における落止部側とは反対側の辺部である直線状の第３辺部とがなす角度が、１８０度よりも小さく形成され、上面部が取出し部接続用糊代部に接着してなる取出し部と、
を有し、
落止部を構成する正面前板部と正面後板部とで本体部の突出片部を挟むことにより、取出し部が背面側から正面側に向けて下方に傾斜した状態で基部に固定され、
本体部における一対の基部の第２傾斜辺部側には商品取出し用切欠部が形成され、取出し部における一対の取出し部側面部の落止部側には該商品取出し用切欠部と対応した位置に第２商品取出し用切欠部が形成され、正面前板部と正面後板部とで本体部の突出片部を挟むことにより、取出し部を背面側から正面側に向けて下方に傾斜した状態で基部に固定した際には、商品取出し用切欠部と第２商品取出し用切欠部により、商品を取り出すための切欠部が左右両側に形成されることを特徴とする滑り出し陳列具。
【考案の詳細な説明】
【技術分野】
【０００１】
本考案は、商品が上下方向にスライドするとともに、正面側に商品を滑り出して取り出すことができる滑り出し陳列具に関するものである。
【背景技術】
【０００２】
従来より、ガム、キャンディ等の細長い棒状の商品を上方より投入して、上下方向にスライドさせて、正面側に商品を滑り出して取り出すことができる陳列具として特許文献１、特許文献２に示すものが存在する。
【０００３】
特許文献１の滑り出し陳列箱は、しの字形状の滑縁を前枠板の両側へ背方から内側へコの字に巻いた柱筒の内側板の正面縁に形成し、柱筒の外側板の正面縁上部をＰＲ前板で繋ぎ、滑り落ちる商品を滑縁を伝って正面へ滑り出させるものである。
【０００４】
また、特許文献２の縁滑り出し箱は、側板の背縁に延設して内側に直角折りした背板の内側縁から滑出片を延設して正面に折り込み、背板の内面を伝って落ちて来た商品は滑出片の上背縁に形成された滑縁を伝って正面に滑り出されるものである。
【先行技術文献】
【特許文献】
【０００５】
【特許文献１】特開２０００−２８９７３８号公報
【特許文献２】特開２００１−１０４１１６号公報
【考案の概要】
【考案が解決しようとする課題】
【０００６】
しかし、上記特許文献１、２に記載の陳列箱においては、内側板（滑出片）の上縁に沿って滑り出すことから、商品が左右方向に対して傾斜してしまうと、内側板（滑出片）の上縁から落下して、商品が適切に滑り出さないおそれがあるという問題があった。特に、陳列箱に商品が収納されていない状態で商品を最初に投入すると、商品が左右方向に対して傾斜してしまい、内側板（滑出片）の上縁から落下して、商品が適切に滑り出さないおそれがある。
【０００７】
また、特許文献１、２の陳列箱は、背面側が開いた構造であるので、正面側の板（ＰＲ板）は大きく開口することができず、収納されている商品を正面側から十分視認することができず、どの程度の数の商品が収納されているかを十分に知ることができないという問題があった。
【０００８】
そこで、本考案は、商品が左右方向に対して傾斜しても商品が適切に滑り出すことができ、かつ、収納されている商品を十分に視認することができる滑り出し陳列具を提供することを目的とするものである。
【課題を解決するための手段】
【０００９】
本考案は上記問題点を解決するために創作されたものであって、第１には、商品が上下方向にスライドするとともに、正面側に商品を滑り出して取り出す滑り出し陳列具であって、１枚のシート状のブランクにより形成された本体部で、背面部と、一対の本体部側面部で、底面側の基部と基部の上端から上方に伸びて形成された帯状部とを有し、基部の正面側に、背面側から正面側に上方に傾斜する第１傾斜辺部と、第１傾斜辺部の上側に設けられ正面側から背面側に上方に傾斜する第２傾斜辺部とを有する本体部側面部と、開口部又は切欠部が形成され、基部の第２傾斜辺部の上端よりも上側に形成された正面部と、一対の基部における各基部の第１傾斜辺部から折れ線を介して連設された突出片部と、正面部の底面側の辺部から折れ線を介して連設された取出し部接続用糊代部を有し、背面部と一対の本体部側面部の帯状部と正面部とで筒状に形成された本体部と、１枚のシート状のブランクにより形成された取出し部で、上面部と、一対の取出し部側面部と、底面部とを有する筒状部と、落止部で、底面部における筒状部の一対の開口における一方に対応する辺部から折れ線を介して連設された正面前板部と、正面前板部の底面部とは反対側の辺部から折れ線を介して連設された正面後板部とからなる落止部とを有し、筒状部における底面部の落止部側の端部が上面部の落止部側の端部よりも落止部側に長く形成され、一対の取出し部側面部における落止部側とは反対側の辺部が、底面部側にいくに従い落止部側から遠ざかるように形成され、上面部が取出し部接続用糊代部に接着してなる取出し部と、を有し、落止部を構成する正面前板部と正面後板部とで本体部の突出片部を挟むことにより、取出し部が背面側から正面側に向けて下方に傾斜した状態で基部に固定されることを特徴とする。
【００１０】
第１の構成の滑り出し陳列具においては、本体部の筒状部分の上端から細長い棒状の商品を投入すると、本体部の筒状部分から取出し部の筒状部に導かれ、取出し部の落止部に至る。取出し部において、筒状部における底面部の落止部側の端部が上面部の落止部側の端部よりも落止部側に長く形成されているので、上面部と落止部の間が開口され、その開口部分から商品を取り出すことができる。
【００１１】
また、一対の取出し部側面部における落止部側とは反対側の辺部が、底面部側にいくに従い落止部側から遠ざかるように形成されているので、底面部の落止部とは反対側の辺部と背面部の内側の面との間の隙間が小さく形成され、商品は、円滑に筒状部から筒状部に移動する。
【００１２】
以上のように、本体部の上端から投入された商品は、本体部の筒状部分と取出し部の筒状部を移動するので、商品が左右方向に対して傾斜しても商品が適切に滑り出すことができる。また、本体部の基部よりも上側の部分は筒状に形成されているので、正面部の開口部を大きく形成することができ、よって、収納されている商品を正面側から十分に視認することができる。
【００１３】
また、第２には、上記第１の構成において、本体部における一対の基部の第２傾斜辺部側には商品取出し用切欠部が形成され、取出し部における一対の取出し部側面部の落止部側には該商品取出し用切欠部と対応した位置に第２商品取出し用切欠部が形成され、正面前板部と正面後板部とで本体部の突出片部を挟むことにより、取出し部を背面側から正面側に向けて下方に傾斜した状態で基部に固定した際には、商品取出し用切欠部と第２商品取出し用切欠部により、商品を取り出すための切欠部が左右両側に形成されることを特徴とする。
【００１４】
よって、商品を取り出すための切欠部が左右両側に形成されるので、商品を取り出す際に便利となる。
【００１５】
また、第３には、上記第１又は第２の構成において、本体部を構成するブランクの展開状態において、背面部の両側に折れ線を介して本体部側面部が連設され、背面部と本体部側面部間の折れ線の下端からブランクの底面側に向けて背面部の内側に切り込みを形成することにより、本体部側面部の下端の背面側が突出して形成されていることを特徴とする。
【００１６】
よって、本体部側面部の下端の背面側が突出して形成されているので、滑り出し陳列具を載置面に安定して載置することが可能となる。
【００１７】
また、第４には、商品が上下方向にスライドするとともに、正面側に商品を滑り出して取り出す滑り出し陳列具であって、１枚のシート状のブランクにより形成された本体部で、背面部と、背面部の両側の辺部から折れ線を介して連設された一対の本体部側面部で、底面側の基部と基部の上端から上方に伸びて形成された帯状部とを有し、基部の正面側に、背面側から正面側に上方に傾斜する第１傾斜辺部と、第１傾斜辺部の上側に設けられ正面側から背面側に上方に傾斜する第２傾斜辺部とを有する本体部側面部と、一対の本体部側面部の一方における帯状部の背面部とは反対側の辺部から折れ線を介して連設された正面部で、開口部又は切欠部が形成され、基部の第２傾斜辺部の上端の高さ位置にその下端位置が形成された正面部と、正面部の一方の本体部側面部とは反対側の辺部から折れ線を介して連設された本体部側面部接続用糊代部と、一対の基部における各基部の第１傾斜辺部から折れ線を介して連設された突出片部と、正面部の底面側の辺部から折れ線を介して連設された取出し部接続用糊代部を有し、本体部側面部接続用糊代部を他方の本体部側面部に接着させることにより、背面部と一対の本体部側面部の帯状部と正面部とで筒状に形成され、本体部を構成するブランクの展開状態において、背面部と本体部側面部間の折れ線の下端からブランクの底面側に向けて背面部の内側に切り込みを形成することにより、本体部側面部の下端の背面側が突出して形成された本体部と、１枚のシート状のブランクにより形成された取出し部で、上面部と、上面部の両側の辺部から折れ線を介して連設された一対の取出し部側面部と、一対の取出し部側面部の一方における上面部とは反対側の辺部から折れ線を介して連設された取出し部側面部接続用糊代部と、一対の取出し部側面部の他方における上面部とは反対側の辺部から折れ線を介して連設された底面部とを有し、取出し部側面部接続用糊代部が底面部に接着された筒状部と、落止部で、底面部における筒状部の一対の開口における一方に対応する辺部から折れ線を介して連設された正面前板部と、正面前板部の底面部とは反対側の辺部から折れ線を介して連設された正面後板部とからなる落止部とを有し、筒状部における底面部の落止部側の端部が上面部の落止部側の端部よりも落止部側に長く形成され、取出し部を構成するブランクの展開状態において、上面部の落止部側とは反対側の辺部である第１辺部と上面部に連設する一方の取出し部側面部における落止部側とは反対側の辺部である直線状の第２辺部とがなす角度が、１８０度よりも小さく、また、上面部の落止部側とは反対側の辺部である第１辺部と上面部に連設する他方の取出し部側面部における落止部側とは反対側の辺部である直線状の第３辺部とがなす角度が、１８０度よりも小さく形成され、上面部が取出し部接続用糊代部に接着してなる取出し部と、を有し、  落止部を構成する正面前板部と正面後板部とで本体部の突出片部を挟むことにより、取出し部が背面側から正面側に向けて下方に傾斜した状態で基部に固定され、本体部における一対の基部の第２傾斜辺部側には商品取出し用切欠部が形成され、取出し部における一対の取出し部側面部の落止部側には該商品取出し用切欠部と対応した���置に第２商品取出し用切欠部が形成され、正面前板部と正面後板部とで本体部の突出片部を挟むことにより、取出し部を背面側から正面側に向けて下方に傾斜した状態で基部に固定した際には、商品取出し用切欠部と第２商品取出し用切欠部により、商品を取り出すための切欠部が左右両側に形成されることを特徴とする。
【００１８】
第４の構成の滑り出し陳列具においては、本体部の筒状部分の上端から細長い棒状の商品を投入すると、本体部の筒状部分から取出し部の筒状部に導かれ、取出し部の落止部に至る。取出し部において、筒状部における底面部の落止部側の端部が上面部の落止部側の端部よりも落止部側に長く形成されているので、上面部と落止部の間が開口され、その開口部分から商品を取り出すことができる。
【００１９】
また、取出し部を構成するブランクの展開状態において、上面部の落止部側とは反対側の辺部である第１辺部と上面部に連設する一方の取出し部側面部における落止部側とは反対側の辺部である直線状の第２辺部とがなす角度が、１８０度よりも小さく、また、上面部の落止部側とは反対側の辺部である第１辺部と上面部に連設する他方の取出し部側面部における落止部側とは反対側の辺部である直線状の第３辺部とがなす角度が、１８０度よりも小さく形成されているので、底面部の落止部とは反対側の辺部と背面部の内側の面との間の隙間が小さく形成され、商品は、円滑に筒状部から筒状部に移動する。
【００２０】
以上のように、本体部の上端から投入された商品は、本体部の筒状部分と取出し部の筒状部を移動するので、商品が左右方向に対して傾斜しても商品が適切に滑り出すことができる。また、本体部の基部よりも上側の部分は筒状に形成されているので、正面部の開口部を大きく形成することができ、よって、収納されている商品を正面側から十分に視認することができる。
【００２１】
また、商品を取り出すための切欠部が左右両側に形成されるので、商品を取り出す際に便利となる。
【００２２】
また、本体部側面部の下端の背面側が突出して形成されているので、滑り出し陳列具を載置面に安定して載置することが可能となる。
【考案の効果】
【００２３】
本考案に基づく滑り出し陳列具によれば、本体部の上端から投入された商品は、本体部の筒状部分と取出し部の筒状部を移動するので、商品が左右方向に対して傾斜しても商品が適切に滑り出すことができる。また、本体部の基部よりも上側の部分は筒状に形成されているので、正面部の開口部を大きく形成することができ、よって、収納されている商品を正面側から十分に視認することができる。
【図面の簡単な説明】
【００２４】
【図１】滑り出し陳列具の前方斜視図である。
【図２】滑り出し陳列具の後方斜視図である。
【図３】本体部の展開図である。
【図４】取出し部の展開図である。
【図５】滑り出し陳列具を折り畳んだ状態を示す斜視図である。
【図６】滑り出し陳列具の組立て工程を示す斜視図である。
【図７】滑り出し陳列具の組立て工程を示す斜視図である。
【図８】滑り出し陳列具の使用状態を示す斜視図である。
【考案を実施するための形態】
【００２５】
本考案においては、商品が左右方向に対して傾斜しても商品が適切に滑り出すことができ、かつ、収納されている商品を十分に視認することができる滑り出し陳列具を提供するという目的を以下のようにして実現した。
【００２６】
本考案に基づく滑り出し陳列具５は、図１〜図４に示すように構成され、本体部１０と、取出し部４０とを有している。本体部１０には、上方に伸びた筒状部１１が形成され、また、取出し部４０には、背面側から正面側に下方に傾斜した筒状部４１が形成され、滑り出し陳列具５の下端の正面側には商品を取り出すための商品取出し開口部ＳＫが形成されている。
【００２７】
ここで、本体部１０は、滑り出し陳列具５の基部を構成するとともに、商品を上下方向に直線状に収納する筒状の収納部として機能するものであり、図３の展開図に示すように、１枚のシート状のブランク（具体的には、段ボール材（好適には、薄型段ボール材）又は厚紙）により形成されている。
【００２８】
すなわち、本体部１０は、正面部１２と、糊代部（本体部側面部接続用糊代部）１４と、糊代部（取出し部接続用糊代部）１６と、右側面部（本体部側面部）１８と、突出片部２４と、背面部２６と、左側面部（本体部側面部）２８と、突出片部３４とを有している。
【００２９】
ここで、正面部１２は、縦長方形状の下方から切欠部を形成した形状を呈し、全体には略コ字状を呈している。なお、正面部１２には糊代部１６が連設されているので、その意味では切欠部は開口部１２ａを形成している。つまり、正面部１２は、上端の左右方向部１２−１と、左右方向部１２−１の両側から下方に延設された帯状部１２−２、１２−３とを有している。
【００３０】
また、正面部１２は、右側面部１８の基部２０の正面上部２０ｂの上端位置（つまり、正面上部２０ｂの傾斜辺部の上端位置）よりも上側に形成されていて、正面部１２の下端位置は、右側面部１８の基部２０の正面上部２０ｂの上端位置（つまり、正面上部２０ｂの傾斜辺部の上端位置）となっている。なお、正面部１２の下端位置を右側面部１８の基部２０の正面上部２０ｂの上端位置よりも上方としてもよい。また、正面部１２には、吊り下げ用の紐を通すための一対の穴部１３が形成されている。
【００３１】
また、糊代部１４は、正面部１２の左側面側の辺部から折れ線を介して連設され、帯状を呈している。この糊代部１４は、左側面部２８の帯状部３２と接着する。
【００３２】
また、糊代部１６は、正面部１２の底面側の辺部から折れ線を介して連設され、略台形形状を呈している。この糊代部１６は、取出し部４０の上面部４２と接着する。
【００３３】
また、右側面部１８は、正面部１２の右側面側の辺部から折れ線Ｓ１を介して連設され、基部２０と、基部２０の上端から上方に連設された帯状部２２とを有している。
【００３４】
基部２０は、全体に略三角形状を呈し、直線状の底辺からなる底部２０ａと、底部２０ａの正面側の端部から連設され、背面側から正面側に向けて上方に直線状に傾斜した傾斜辺部（第１傾斜辺部）からなる正面下部（この正面下部は、折れ線Ｓ２により形成される）と、該正面下部から連設され、正面側から背面側に向けて上方に直線状に傾斜した傾斜辺部（第２傾斜辺部）を有するとともに、略半円状の切欠部Ｋ１を有する正面上部２０ｂと、底部２０ａの背面側の端部から形成された円弧状の辺部を有する背面下部２０ｃ（図１参照）と、背面下部２０ｃの上端から上方に直線状に伸びた背面上部２０ｅ（図１参照）とを有する構成となっている。この背面上部２０ｅは、右側面部１８と背面部２６間の折れ線Ｓ３の下部により構成されている。
【００３５】
また、帯状部２２は、基部２０の上端から連設され、上方に伸びた帯状を呈している。つまり、帯状部２２は、基部２０の正面上部２０ｂの上端と背面上部２０ｅの上端から連設されている。
【００３６】
また、突出片部２４は、右側面部１８の基部２０の正面下部から折れ線Ｓ２を介して連設されていて、略台形形状を呈している。
【００３７】
また、背面部２６は、右側面部１８の背面側の辺部から折れ線Ｓ３を介して連設され、略縦長長方形状を呈し、具体的には、縦長長方形状の下端の両側が円弧状に面取りされた形状を呈している。この背面部２６の左右方向の長さ（図３におけるＸ１−Ｘ２方向の長さ）は、正面部１２の左右方向の長さ（図３におけるＸ１−Ｘ２方向の長さ）と略同一であり、背面部２６の上下方向の長さ（図３におけるＹ１−Ｙ２方向の長さ）は、右側面部１８の上下方向の長さ（図３におけるＹ１−Ｙ２方向の長さ）と略同一となっている。
【００３８】
なお、図３に示すように、本体部１０の展開状態では、基部２０の背面下部２０ｃと背面部２６との間には、円弧状の切込みＫ３が形成されている。
【００３９】
また、左側面部２８は、背面部２６の左側面側の辺部から折れ線Ｓ４を介して連設され、基部３０と、基部３０の上端から上方に連設された帯状部３２とを有している。
【００４０】
基部３０は、基部２０と対称（展開状態では、線対称）である以外は同一の構成であるので、詳しい説明を省略する。つまり、基部３０は、底部３０ａと底部３０ａの正面側の端部から連設された正面下部と、該正面下部から連設された正面上部３０ｂ（この正面上部３０ｂは、正面側から背面側に向けて上方に直線状に傾斜した傾斜辺部を有するとともに、略半円状の切欠部Ｋ５を有する）と、底部３０ａの背面側の端部から形成された円弧状の辺部を有する背面下部３０ｃ（図２参照）と、背面下部３０ｃの上端から上方に直線状に伸びた背面上部３０ｅ（図２参照）とを有する構成となっている。
【００４１】
また、突出片部３４は、左側面部２８の基部３０の正面下部から折れ線Ｓ６を介して連設されていて、略台形形状を呈している。突出片部３４は、突出片部２４と対称（展開状態では、線対称）となっている。
【００４２】
次に、取出し部４０は、全体に筒状の一部が開口し、筒状の該一部が開口した側の端部に落止部５１が形成された形状を呈し、上面部４２と、右側面部（取出し部側面部）４４と、底面部４６と、正面前板部４８と、正面後板部５０と、左側面部（取出し部側面部）５２と、糊代部（取出し部側面部接続用糊代部）５４とを有している。この取出し部４０は、図４の展開図に示すように、１枚のシート状のブランク（具体的には、段ボール材（好適には、薄型段ボール材）又は厚紙）により形成されている。
【００４３】
ここで、上面部４２は、方形状（具体的には、横長の長方形状）を呈している。また、右側面部４４は、上面部４２の右側面部側の辺部から折れ線を介して連設され、台形形状の正面側の上側に略円弧状の切欠部Ｋ８が形成された形状を呈している。この切欠部Ｋ８は、その形状が切欠部Ｋ１の少なくとも一部と略一致するように形成されている。
【００４４】
また、底面部４６は、右側面部４４の底面側の辺部から折れ線を介して連設され、方形状を呈している。この底面部４６の左右方向の長さ（図４におけるＸ１−Ｘ２方向の長さ）は、上面部４２の左右方向の長さ（図４におけるＸ１−Ｘ２方向の長さ）と略同一となっている。なお、上面部４２と底面部４６の左右方向の長さは、取出し部４０が本体部１０における右側面部１８と左側面部２８間に設けられるように、正面部１２や背面部２６の左右方向の長さよりも若干短く形成されている。
【００４５】
また、底面部４６の落止部５１側の端部が上面部４２の落止部側の端部よりも落止部５１側に長く形成され、これにより、取出し部４０を筒状に形成した際に、上面部４２と落止部５１の上端との間に開口が形成される。
【００４６】
また、正面前板部４８は、底面部４６の正面側の辺部から折れ線を介して連設され、略横長長方形状を呈している。なお、底面部４６と正面前板部４８間には、略コ字状の切込みＫ１０が形成され、この切込みＫ１０により、正面後板部５０の突出部５０ｂが嵌合するための穴部が形成される。
【００４７】
また、正面後板部５０は、正面前板部４８の底面部４６とは反対側の辺部から折れ線を介して連設され、略横長長方形状を呈している。つまり、正面後板部５０は、底面部４６における筒状部４１の一対の開口における一方に対応する辺部から連設されている。この正面後板部５０は、横長長方形状の本体部５０ａと、本体部５０ａの正面前板部４８側とは反対側の辺部から突出して形成された一対の突出部５０ｂとを有している。この突出部５０ｂは、正面後板部５０を正面前板部４８側に折り返した状態で、切込みＫ１０により形成された穴部に差し込んで嵌合される。
【００４８】
また、左側面部５２は、上面部４２の左側面側の辺部から折れ線を介して連設され、右側面部４４と対称（展開状態では、線対称）に形成されている。つまり、左側面部５２は、台形形状の正面側の上側に略円弧状の切欠部Ｋ１２が形成された形状を呈している。この切欠部Ｋ１２は、その形状が切欠部Ｋ５の少なくとも一部と略一致するように形成されている。左側面部５２の幅（図４におけるＸ１−Ｘ２方向の長さ）は、右側面部４４の幅（図４におけるＸ１−Ｘ２方向の長さ）と略同一である。
【００４９】
なお、取出し部４０の展開状態において、上面部４２の切欠部Ｋ８、Ｋ１２と連設された辺部とは反対側の辺部（第１辺部）Ｈ１と、右側面部４４の切欠部Ｋ８が形成された側とは反対側の直線状の辺部（第３辺部）Ｈ２との角度α１は１８０度よりも小さく形成され、また、上面部４２の切欠部Ｋ８、Ｋ１２と連設された辺部とは反対側の辺部Ｈ１と、左側面部５２の切欠部Ｋ１２が形成された側とは反対側の直線状の辺部（第２辺部）Ｈ３との角度α２は１８０度よりも小さく形成されていて、これにより、取出し部４０が本体部１０に対して傾斜した状態で固定されていても、底面部４６の落止部５１側とは反対側の辺部Ｈ４と背面部２６の内側の面との間の隙間を小さくすることができる。なお、取出し部４０の組立て状態においては、一対の側面部（つまり、右側面部４４と左側面部５２）における落止部５１側とは反対側の辺部Ｈ２、Ｈ３が、底面部４６側にいくに従い落止部５１側から遠ざかるように形成されているともいえる。
【００５０】
また、糊代部５４は、左側面部５２の上面部４２とは反対側の辺部から折れ線を介して連設され、台形形状を呈している。この糊代部５４は、底面部４６と接着する。
【００５１】
なお、切欠部Ｋ１、Ｋ５は、商品取出し用切欠部に当たり、切欠部Ｋ８、Ｋ１２は、第２商品取出し用切欠部に当たる。
【００５２】
滑り出し陳列具５を製造するには、図３に示す展開状態の本体部１０を製造するとともに、図４に示す展開状態の取出し部４０を製造する。
【００５３】
その後、接着すべき部分の接着を行うが、具体的には以下のように行う。まず、本体部１０を折れ線Ｓ１で折り返した状態として正面部１２の裏面側に帯状部２２や背面部２６を配置させる。その状態で、糊代部１６の正面側の面に接着剤を塗布する。つまり、図３の糊代部１６のハッチング領域に接着剤を塗布する。
【００５４】
その後、図４に示す展開状態の取出し部４０の上面部４２を糊代部１６の上面に配置して、糊代部１６と上面部４２とを接着する。
【００５５】
その後、取出し部４０を糊代部１６と正面部１２間の折れ線を中心に回動させて、上面部４２が正面部１２と対向するようにする。
【００５６】
その状態で、左側面部５２を上面部４２との間の折れ線を中心に折り返し、その後、糊代部５４の外側の面に接着剤を塗布し（つまり、図４の糊代部５４のハッチング領域に接着剤を塗布する）、底面部４６を右側面部４４との間の折れ線を介して折り返して、底面部４６を糊代部５４に接着させる。
【００５７】
その後、糊代部１４に接着剤を塗布し（つまり、図３の糊代部１４のハッチング領域に接着剤を塗布する）、左側面部２８を折れ線Ｓ４を中心に折り返して、帯状部３２を糊代部１４に接着させる。
【００５８】
以上のようにして、滑り出し陳列具５が製造される。なお、上記の製造工程において、取出し部４０を回動させて上面部４２が正面部１２と対向するようにしたら、帯状部３２を糊代部１４に接着させ、その後、底面部４６を糊代部５４に接着させてもよい。
【００５９】
上記のように製造された滑り出し陳列具５は、保管や運搬に際しては、図５に示すように折り畳んだ状態とすることができる。すなわち、取出し部４０を本体部１０の正面部１２側に回動させた状態で、本体部１０を折り畳むとともに、取出し部４０を折り畳むことにより、滑り出し陳列具５を折り畳んだ状態とすることができる。本体部１０を折り畳むには、例えば、正面部１２の内側の面と糊代部１４の内側の面とがなす角度を大きくし、背面部２６の内側の面と帯状部２２の内側の面とがなす角度を大きくする。また、取出し部４０を折り畳むには、例えば、糊代部５４の内側の面と左側面部５２の内側の面とがなす角度を大きくし、上面部４２の内側の面と右側面部４４の内側の面とがなす角度を大きくする。
【００６０】
折り畳んだ状態の滑り出し陳列具５を組み立てるには、図６に示すように、本体部１０の正面部１２と帯状部２２と背面部２６と帯状部２８とを筒状に形成するとともに、取出し部４０の上面部４２と右側面部４４と底面部４６と左側面部５２とを筒状に形成する。その後、取出し部４０を正面側に回動させて、取出し部４０を基部２０と基部３０間に配置し、図７に示すように、取出し部４０の上面部４２を基部２０の正面上部２０ｂの傾斜辺部と基部３０の正面上部３０ｂの傾斜辺部に沿うようにする。
【００６１】
その後、突出片部２４を基部２０に対して内側に直角に折り曲げるとともに、突出片部３４を基部３０に対して内側に直角に折り曲げた後に、突出片部２４、３４を包むようにして、正面後板部５０を正面前板部４８に対して折り返し、正面後板部５０の突出部５０ｂを切込みＫ１０により底面部４６の正面前板部４８側に形成された穴部（切込みＫ１０により、正面前板部４８を底面部４６に対して折り曲げた状態とすると、底面部４６の正面前板部４８側に穴部が形成される）に差し込んで嵌合する。これにより、正面前板部４８と正面後板部５０とで突出片部２４、３４が挟まれた状態となる。
【００６２】
以上のように滑り出し陳列具５が組み立てられた状態では、本体部１０の正面部１２と帯状部２２と背面部２６と帯状部２８とが四角筒状となって筒状部１１が形成され、基部２０と基部３０とは前後方向に向いた状態となる。また、取出し部４０は、基部２０と基部３０間に配置され、取出し部４０の正面部１２に対する角度は、正面前板部４８と正面後板部５０とで突出片部２４、３４を挟んだ状態とすることにより固定され、正面前板部４８と正面後板部５０とにより落止部５１が形成される。取出し部４０においては、上面部４２と右側面部４４と底面部４６と左側面部５２とが四角筒状となって筒状部４１が形成される。また、基部２０の切欠部Ｋ１と右側面部４４の切欠部Ｋ８とにより滑り出し陳列具５の正面の右側面側に切欠部ＫＡが形成され、基部３０の切欠部Ｋ５と左側面部５２の切欠部Ｋ１２とにより滑り出し陳列具５の正面の左側面側に切欠部ＫＢが形成されて、取出し部４０の上面部４２と落止部５１間の開口と切欠部ＫＡと切欠部ＫＢとにより形成された開口により、商品を取り出すための商品取出し開口部（商品を取り出すための切欠部）ＳＫが形成される。
【００６３】
また、筒状部１１内の空間と筒状部４１内の空間は、つながった状態となっていて、特に、上記のように角度α１、α２が１８０度よりも小さく形成されているので、底面部４６の辺部Ｈ４と背面部２６の内側の面との間の隙間が小さく形成されている。
【００６４】
上記のように組み立てられた滑り出し陳列具５においては、本体部１０の筒状部１１の上端から商品Ｇ（この商品Ｇは、ガム、キャンディ等の細長い棒状の商品である）を投入すると、筒状部１１から取出し部４０の筒状部４１に導かれ、商品取出し開口部ＳＫに至る。商品取出し開口部ＳＫにおいては、正面側と側面側とが開口しているので、商品Ｇを取り出すことができる。
【００６５】
商品Ｇが筒状部１１から筒状部４１に移行する際に、筒状部１１内の空間と筒状部４１内の空間はつながった状態となっていて、底面部４６の辺部Ｈ４と背面部２６の内側の面との間の隙間が小さく形成されているので、商品Ｇは、円滑に筒状部１１から筒状部４１に移動する。
【００６６】
取出し部４０には、落止部５１が設けられているので、商品が取り出し部４０から脱落するおそれがない。商品Ｇを複数投入することにより、図８に示すように収納される。
【００６７】
商品取出し開口部ＳＫの位置にある商品Ｇ（最下端に位置する商品Ｇ）を取り出すことにより、該商品Ｇに隣接する商品が商品取出し開口部ＳＫに至り、他の商品も商品１つ分下方へ移動する。
【００６８】
なお、また、本体部１０の基部２０、３０の底部側は、前後方向に長く形成されているので、滑り出し陳列具５を載置面に安定して載置することができる。また、正面部１２には、吊り下げ用の紐を通すための一対の穴部１３が形成されているので、図８のように紐を通すことにより吊り下げて使用することができる。
【００６９】
上記構成の滑り出し陳列具５においては、本体部１０の筒状部１１内の空間と取出し部４０の筒状部４１内の空間とがつながった状態となっているので、商品が左右方向に対して傾斜しても商品が適切に滑り出すことができる。
【００７０】
また、本体部１０の筒状部１１が筒状に形成されているので、開口部１２ａを大きく形成することができ（つまり、開口部１２ａを大きく形成しても筒状部１１の強度に大きな影響を与えない）、よって、収納されている商品を十分に視認することが可能となる。
【００７１】
なお、上記構成において、本体部１０において、糊代部１４が左側面側に形成されているとしたが、本体部１０を対称に構成して、糊代部を右側面側に形成してもよい。また、取出し部４０において、糊代部５４を左側面側に形成されているとしたが、取出し部４０を対称に構成して、糊代部を右側面側に形成してもよい。
【００７２】
また、本体部１０において、糊代部１４は正面部１２に連設されるとしたが、左側面部２８の帯状部３２の背面部２６とは反対側の辺部から折れ線を介して連設してもよい。
【符号の説明】
【００７３】
５  滑り出し陳列具
１０、５０ａ  本体部
１１、４１  筒状部
１２  正面部
１２ａ  開口部
１４、１６、５４  糊代部
１８、４４  右側面部
２０、３０  基部
２２、３２  帯状部
２４、３４  突出片部
２６  背面部
２８、５２  左側面部
４０  取出し部
４２  上面部
４６  底面部
４８  正面前板部
５０  正面後板部
５１  落止部
Ｋ１、Ｋ５、Ｋ８、Ｋ１２、ＫＡ、ＫＢ  切欠部
【図１】
0003159435.tif 000003
【図２】
0003159435.tif 000004
【図３】
0003159435.tif 000005
【図４】
0003159435.tif 000006
【図５】
0003159435.tif 000007
【図６】
0003159435.tif 000008
【図７】
0003159435.tif 000009
【図８】
0003159435.tif 000010